【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
第１のモダリティに基づいて少なくとも一つのサンプルの少なくとも一つの部位から受信した第１の信号に関連する第１のデータと、前記第１のモダリティとは異なる第２のモダリティに基づいて前記少なくとも一つのサンプルから受信した第２の信号に関連する第２のデータとを送出し、更に、基準に関連する第３のデータを受信するように構成された少なくとも一つの第１の機器と、
前記第１のデータ、前記第２のデータ及び前記第３のデータに基づいて更なるデータを生成するように構成された、少なくとも一つの第２の機器を備え、
前記第１のデータと前記第２のデータは、前記第１の機器により略同時に送出される、装置。
【請求項２】
前記第１のモダリティがスペクトル符号化共焦点顕微鏡技術である、請求項１記載の装置。
【請求項３】
前記第２のモダリティが、蛍光画像生成技術である、請求項１記載の装置。
【請求項４】
前記少なくとも一つの第１の機器及び前記少なくとも一つの第２の機器と関連付けられた顕微鏡装置を更に備える、請求項１記載の装置。
【請求項５】
電磁放射を前記少なくとも一つの部位に向けて照射するように構成されたビーム走査機構を備える、請求項１記載の装置。
【請求項６】
前記少なくとも一つの第２の機器は、（ｉ）二次元画像又は（ｉｉ）三次元画像の少なくとも一つを前記更なるデータの関数として生成する、請求項１記載の装置。
【請求項７】
前記第１のデータ及び前記第２のデータは、前記少なくとも一つのサンプルの略同一の位置に関連付けられる、請求項１記載の装置。
【請求項８】
前記第１のデータ及び前記第２のデータの少なくとも一つは、前記第１のデータ及び前記第２のデータの他方を用いて取得する、請求項１記載の装置。
【請求項９】
前記少なくとも一つの第１の機器及び前記少なくとも一つの第２の機器は、一つのプローブ又は単一の筐体の少なくとも一つに設けられる、請求項１記載の装置。
【請求項１０】
前記少なくとも一つの第１の機器及び前記少なくとも一つの第２の機器は、共通の部品を有する、請求項１記載の装置。
【請求項１１】
前記共通の部品は、波長掃引光源装置に存在する、請求項１０記載の装置。
【請求項１２】
前記少なくとも一つの第１の機器は、スペクトル符号化顕微鏡検査情報を取得するように構成された、請求項１記載の装置。
【請求項１３】
前記少なくとも一つの第１の機器は、明視野、暗視野、位相コントラスト、偏光、上部反射性（ｅｐｉｒｅｆｉｅｃｔａｎｃｅ）又は反射顕微鏡検査情報の少なくとも一つを取得するように構成された、請求項１記載の装置。
【請求項１４】
前記第１のモダリティから前記第２のモダリティに変更するように構成された更なる装置を備える、請求項１記載の装置。
【請求項１５】
前記少なくとも一つの第１の機器は、複数の波長を有する光源装置から提供される信号に関連する光コヒーレンストモグラフィー情報を取得するように構成され、
前記第２の信号と第３の信号の間のスペクトル干渉を前記複数の波長の関数として検出するように構成された複数の検出器を更に備える、請求項１記載の装置。
【請求項１６】
前記少なくとも一つの第１の機器は、波長が時間とともに変化する光源装置から提供される信号に関連する光コヒーレンストモグラフィー情報を取得するように構成された、請求項１記載の装置。
【請求項１７】
前記少なくとも一つの機器は、更に、基準に関連する第３のデータを受信するように構成され、
前記少なくとも一つの第２の機器は、前記第３のデータの関数として前記更なるデータを生成するように構成された、請求項１記載の装置。
【請求項１８】
既に取得した前記第１のデータ及び前記第２のデータの少なくとも一つに基づいて前記少なくとも一つの第１の機器及び前記少なくとも一つの第２の機器の少なくとも一つを制御するように構成された少なくとも一つの第３の機器を備える、請求項１記載の装置。
【請求項１９】
前記第１のデータ及び前記第２のデータに基づいて画像を生成するように構成された少なくとも一つの第４の機器を備える、請求項１記載の装置。
【請求項２０】
前記第１のデータに基づいて少なくとも一つの第１の画像を、前記第２のデータに基づいて少なくとも一つの第２の画像を生成するように構成された少なくとも一つの第５の機器を備え、前記第１の画像と前記第２の画像は、前記第１のデータと前記第２のデータの関数としてお互いに関連付けられている、請求項１記載の装置。
【請求項２１】
前記少なくとも一つの第１の機器は、光コヒーレンストモグラフィー情報を取得するように構成された、請求項１記載の装置。
【請求項２２】
前記少なくとも一つの第１の機器は、光周波数領域干渉分光情報を取得するように構成された、請求項１記載の装置。
【請求項２３】
第１のモダリティに基づいて少なくとも一つのサンプルの少なくとも一つの部位から受信した第１の信号に関連する第１のデータと、前記第１のモダリティとは異なる第２のモダリティに基づいて前記少なくとも一つのサンプルから受信した第２の信号に関連する第２のデータと、各々が前記第１のモダリティ及び第２のモダリティとは異なる更なるモダリティに基づき、かつ、前記少なくとも一つのサンプルから受信した第２の信号に関連する、少なくとも一つの第３のデータとを送出するように構成された、少なくとも一つの第１の機器と、
前記第１のデータ、前記第２のデータ及び前記第３のデータに基づき更なるデータを生成するように構成された、少なくとも一つの第２の機器を備える、装置。
【請求項２４】
前記少なくとも一つの第１の機器が、光コヒーレンストモグラフィー情報を取得するように構成された、請求項２３記載の装置。
【請求項２５】
前記少なくとも一つの第１の機器が、光コヒーレンス顕微鏡検査情報を取得するように構成された、請求項２３記載の装置。
【請求項２６】
前記少なくとも一つの第１の機器が、全域（ｆｕｌｌ  ｆｉｅｌｄ）光コヒーレンス顕微鏡検査情報を取得するように構成された、請求項２３記載の装置。
【請求項２７】
第１のスペクトル符号化モダリティに基づいて少なくとも一つのサンプルの少なくとも一つの部位から受信した第１の信号に関連する第１のデータと、第２の非スペクトル符号化モダリティに基づいて前記少なくとも一つのサンプルから受信した第２の信号に関連する第２のデータとを送出するように構成された少なくとも一つの第１の機器と、
前記第１のデータと前記第２のデータに基づいて更なるデータを生成するように構成された少なくとも一つの第２の機器を備える、装置。
【請求項２８】
第１のモダリティに基づいて少なくとも一つのサンプルの少なくとも一つの部位から受信した第１の信号に関連する第１のデータと、前記第１のモダリティとは異なる第２のモダリティに基づいて前記少なくとも一つのサンプルから受信した第２の信号に関連する第２のデータと、を送出するステップと、
基準に関連する第３のデータを受信するステップと、
前記第１のデータ、前記第２のデータ及び前記第３のデータに基づいて更なるデータを生成するステップと、を含み、前記第１のデータ及び第２のデータは略同時に送出される、方法。
【請求項２９】
第１のモダリティに基づいて少なくとも一つのサンプルの少なくとも一つの部位から受信した第１の信号に関連する第１のデータと、前記第１のモダリティとは異なる第２のモダリティに基づいて前記少なくとも一つのサンプルから受信した第２の信号に関連する第２のデータと、各々が、前記第１のモダリティ及び前記第２のモダリティとは異なる更なるモダリティに基づき、前記少なくとも一つのサンプルから受信した第２の信号に関連する、少なくとも一つの第３のデータと、を送出するステップと、
前記第１のデータ、前記第２のデータ及び前記少なくとも一つの第３のデータに基づいて更なるデータを生成するステップと、を含む方法。
【請求項３０】
第１のスペクトル符号化モダリティに基づいて少なくとも一つのサンプルの少なくとも一つの部位から受信した第１の信号に関連する第１のデータと、第２の非スペクトル符号化モダリティに基づいて前記少なくとも一つのサンプルから受信した第２の信号に関連する第２のデータと、を送出するステップと、
前記第１のデータと前記第２のデータに基づいて更なるデータを生成するステップと、を含む方法。
【請求項３１】
第１のモダリティに基づいて少なくとも一つのサンプルの少なくとも一つの部位から受信した第１の信号に関連する第１のデータと、前記第１のモダリティとは異なる第２のモダリティに基づいて前記少なくとも一つのサンプルから受信した第２の信号に関連する第２のデータとを送出し、更に、基準に関連する第３のデータを受信するように構成され、プローブ又は単一の筐体の少なくとも一つに設けられた、少なくとも一つの第１の機器と、
前記第１のデータ、前記第２のデータ及び前記第３のデータに基づいて更なるデータを生成するように構成された、少なくとも一つの第２の機器と、
前記第１のデータ及び前記第２のデータの少なくとも一つに基づいて前記サンプルに関連する特定の位置に前記プローブ又は前記単一の筐体の少なくとも一つを位置決めするように構成された位置決め用の第３の機器と、を備える、装置。
【請求項３２】
少なくとも一つのサンプルの中の第１の面に関連する情報を含む第１のモダリティに基づいて少なくとも一つのサンプルの少なくとも一つの部位から受信した第１の信号に関連する第１のデータと、前記第１の面とは異なる、前記少なくとも一つのサンプルの中の第２の面に関連する情報を含む、前記第１のモダリティとは異なる第２のモダリティに基づいて前記少なくとも一つのサンプルから受信した第２の信号に関連する第２のデータとを送出し、
更に、基準に関連する第３のデータを受信するように構成された、少なくとも一つの第１の機器と、
前記第１のデータ、前記第２のデータ及び前記第３のデータに基づいて更なるデータを生成するように構成された、少なくとも一つの第２の機器と、を備える、装置。